(57)【要約】【課題】モーターの脱落を防止する構造を提供する。【解決手段】モーターの脱落を防止する構造は、少なくとも、スロットを凹設する軸座と、絶縁架、シリコンスチール片を有し、前記絶縁架と前記スロットの間に定位素子を有するモーターユニットと、からなり、その特徴は、前記定位素子は、係合部、第一端部、第二端部を有し、前記係合部は、前記スロットに嵌入し、前記第一端部、第二段部は、それぞれ、前記軸座と前記モーターユニットのシリコンスチール片の上縁を抵制し、前記モーターユニットを定位する作用を生成する。【選択図】  図  １
2006180671.tif 000002
【特許請求の範囲】
【請求項１】
モーターの脱落を防止する構造であって、少なくとも、
スロットを凹設する軸座と、
絶縁架、シリコンスチール片を有し、前記絶縁架と前記スロットの間に定位素子を有するモーターユニットと、
からなり、
その特徴は、前記定位素子は、係合部、第一端部、第二端部を有し、前記係合部は、前記スロットに嵌入し、前記第一端部、第二段部は、それぞれ、前記軸座と前記モーターユニットのシリコンスチール片の上縁を抵制し、前記モーターユニットを定位する作用を生成することを特徴とする構造。
【請求項２】
前記第一端部は、前記中空軸座の内部に下向きに延伸し、前記ベアリングを抵頂することを特徴とする請求項１に記載の構造。  
【請求項３】
前記定位素子の係合素子、第二端部は、局部設置であることを特徴とする請求項１、或いは、２に記載の構造。
【請求項４】
前記定位素子は、複数個で、且つ、前記モーターユニットに離散配置されることを特徴とする請求項１、或いは、２に記載の構造。
【発明の詳細な説明】
【技術分野】
【０００１】
本発明は、モーターの脱落防止構造であって、特に、該装置は、モーターの軸座を利用して、定位素子を設置し、モーターを固定して、モーターの脱落を防止する構造に関するものである。
【背景技術】
【０００２】
現代のコンピュータ情報産業の発展は目覚しく、情報商品のCPUの運算速度は、ますます速くなって、生成される熱量も増加している。熱量を効果的に排除するため、散熱装置を用い、それを基本設備としているが、現在最もよく使用される散熱装置は、使用上、不便で、モーターの作業が不安定で、システムや装置全体の正常な作動に影響を与え、モーターベアリングは、更に、モーターの質量と作業安定性の鍵を握っている。
【０００３】
モーターのステーターは、ゲル塗布方式で、モーターをファンベースの軸座に固定している。モーターが運転する時、振動によりゲルが剥離しやすく、モーターが定位から脱落し、騒音、発熱、効率等、モーターの運転とその功能に影響を与える。
【０００４】
中華民国（台湾）公告番号５６６７５７号で、モーターステーターの固定構造が開示されている。それは、定位部１０Aと引持部１０Bからなる固定フック１０により、引持部１０Bを、モーターの銅部分１２のスロットに嵌入し、且つ、定位部１０Aは、モーターステーターのコイルベース１４の頂面に抵接している。しかし、銅部分１２とコイルベース１４の高度が往々にして異なるため、生産上、困難で、コストも増加する。この他、固定フック１０の定位部１０Aのコイルベース１４に延伸した一側は、ステーター１６のコイル１８全体を覆うまで延伸し、これにより、コイル１８とローター２２の摩擦を防止している。コイル１８は、ローター２２と摩擦して、定位部１０Aによりステーター１６のコイル１８全体を覆うまで延伸する技術は、摩擦部位が前記のコイル１８から定位部１０Aに転移して、異音を生じ、前述の技術は矛盾がある。固定フック１０の材料が増加するだけでなく、定位部１０Aがステーター１６のコイル１８全体を覆うまで延伸し、モーターの作動により生成する熱量が散熱されにくくなる。
【発明の開示】
【発明が解決しようとする課題】
【０００５】
本発明は、上述の問題を解決するため、モーターの脱落防止構造を提供し、モーターの軸座の適当な位置に、少なくとも一つの定位素子を設置して、モーターのステーターに対し生じる支持作用を強化し、モーターの脱落を防止することを目的とする。
【０００６】
本発明は、前記の定位素子を軸座中にまで延伸させ、軸座が収容するベアリングに対し予圧を形成し、ベアリングに、安定した運転状態を保持させることをもう一つの目的とする。
【課題を解決するための手段】
【０００７】
上述の目的を達成するため、本発明は、モーターの脱落防止構造を提供し、少なくとも、スロットを凹設する軸座と、絶縁架、シリコンスチール片を有し、前記絶縁架と前記スロットの間に定位素子を有するモーターユニットと、からなり、その特徴は、前記定位素子は、係合部、第一端部、第二端部を有し、前記係合部は、前記スロットに嵌入し、前記第一端部、第二段部は、それぞれ、前記軸座と前記モーターユニットのシリコンスチール片の上縁を抵制し、前記モーターユニットを定位する作用を生成する。
【発明の効果】
【０００８】
モーターの脱落を防止すると共に、ベアリングに、安定した運転状態を保持させる。
【発明を実施するための最良の形態】
【０００９】
図１は、本発明のモーターシングルベアリング構造の第一実施例を示す図で、ファンブレード１０、モーターユニット２０、及び、ファンベース３０、からなる。ファンブレード１０は、ファンハブ１１、軸心１２、モーターケース１３、磁石１４からなり、軸心１２は、ファンハブ１１の底部中央に形成される軸心ベース１１１に設置され、モーターケース１３は、ファンハブ１１の内側縁に設置され、磁石１４は、モーターケース１３内の側縁に設置される。
【００１０】
モーターユニット２０は、ファンベース３０に設置され、モーターユニット２０は、絶縁架２１、シリコンスチール片２２、回路板２３、コイル２４からなり、シリコン片２２は、絶縁架２１外部に設けられ、コイル２４とシリコンスチール片は、絶縁架２１上に環繞する。ファンベース３０の中心は、中空の軸座３１を有し、回路板２３は、絶縁架２１底部と軸座３１の間に設置され、軸心１２は、軸座３１が形成する収容空間に設置され、軸心１２外部と軸座３１の間には、少なくとも一つのベアリング３２を設置する（ベアリング３２は、ロールベアリングで、ハウジング内に、複数の球体を有し、図示されていない）と共に、軸心１２は、ベアリング３２の承載を受けて旋転し、ベアリング３２とファンハブ１１間に、弾性素子Rを有する。
【００１１】
軸座３１内縁は、突出部３１１を有し、軸心１２がファンブレード１０のファンハブ１１と連接しない一端に、リング１５を設け、突出部３１１により、ベアリング３２を抵制し、ベアリング３２を定位する。且つ、ベアリング３２はリング１５に対し干渉作用を生成し、軸心１２が運転する時、軸座３１が抜けるのを防止する。
【００１２】
この他、図２を参照すると、軸座３１は、スロット３１２を凹設し、軸座３１のスロット３１２とモーターユニット２０の絶縁架２１間は、定位素子４０を有する。定位素子４０は、ほぼ、環状である（図３、図６、図６、図８を参照）か、或いは、非環状（図９、図１０、図１１、図１２）で、係合部４１、第一端部４２、第二端部４２’を有し、係合部４１を、スロット３１２に嵌入させる時、第一端部４２、第二段部４２’は、それぞれ、軸座３１とモーターユニット２０のシリコンスチール片２２の上縁を抵制し、モーターユニット２０を定位する作用を生成する。
【００１３】
図４、図５は、本発明の第二実施例を示す図で、上述の第一実施例との差異は、第一端部４２が、中空軸座３１の内部に向けて下向けに延伸して、ベアリング３２を抵頂し、予圧を形成し、ベアリング３２は振動が減少して、安定して運転し（ベアリング３２はロールベアリングを使用する場合、ベアリングのハウジングとその内部の球体が、予圧力の欠乏で、内部に隙間が生じ、摩擦、騒音、発熱が減少する）、モーターの運転功能を向上させ、モーターの脱落を防止し、使用寿命を増加させることである。
【００１４】
図７、図８は、本発明の定位素子４０の可能な実施例で、上述の第一、第二実施例との差異は、定位素子４０の係合部４１、第一端部４２、第二端部４２’は局部設置で、係合部４１をスロット３１２に嵌入させる時、第一端部４２、第二端部４２’は、それぞれ、軸座３１とモーターユニット２０のシリコンスチール片２２の上縁を抵制し、モーターユニットを定位する作用を生成することである。
【００１５】
図９、図１０、図１１、図１２は、本発明の定位素子４０のもう一つの実施例で、上述の実施例との差異は、定位素子４０が非環状形を呈し、複数の定位素子４０を、モーターユニット２０に離散配置していることである（図１３を参照）。即ち、係合部４１がスロット３１２に嵌入し、第一端部４２、第二端部４２’は、それぞれ、中空軸座３１とモーターユニット２０のシリコンスチール片２２の上縁を抵制し、モーターユニット２０の定位作用を生成する（図１１、図１２）か、或いは、第一端部４２は、中空軸座３１の内部に向けて、下方向に延伸して、ベアリング３２を抵頂し（図９、図１０）、その他は、第一、第二実施例と同じであるのでここに詳述しない。
【００１６】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明明の保護範囲は、特許請求の範囲で指定した内容を基準とする。
【図面の簡単な説明】
【００１７】
【図１】本発明の第一実施例を示す図である。
【図２】図１の局部拡大図である。
【図３】図２の定位素子の立体図である。
【図４】本発明の第二実施例を示す図である。
【図５】図４の局部拡大図である。
【図６】図５の定位素子の立体図である。
【図７】図３の定位素子の立体図である。
【図８】図６の定位素子の立体図である。
【図９】図６の定位素子のもう一つの立体図である。
【図１０】図６の定位素子の更にもう一つの立体図である。
【図１１】図３の定位素子のもう一つの立体図である。
【図１２】図３の定位素子の更にもう一つの立体図である。
【図１３】図９、図１０、図１１、図１２の定位素子の応用実施例を示す図である。
【符号の説明】
【００１８】
１０…ファンブレードユニット
１１…ファンハブ
１１１…軸心ベース
１２…軸心
１３…モーターケース
１４…磁石
１５…リング
２０…モーターユニット
２１…絶縁架
２２…シリコンスチール片
２３…回路板
２４…コイル
３０…ファンベース
３１…軸座
３１１…突出部
３１２…スロット
３３…孔口
４０…定位素子
４１…係合部
４２…第一端部
４２’…第二端部
R…弾性素子
【図１】
2006180671.tif 000003
【図２】
2006180671.tif 000004
【図３】
2006180671.tif 000005
【図４】
2006180671.tif 000006
【図５】
2006180671.tif 000007
【図６】
2006180671.tif 000008
【図７】
2006180671.tif 000009
【図８】
2006180671.tif 000010
【図９】
2006180671.tif 000011
【図１０】
2006180671.tif 000012
【図１１】
2006180671.tif 000013
【図１２】
2006180671.tif 000014
【図１３】
2006180671.tif 000015